(57)【要約】【課題】筐体内部に配置される電気部品上に堆積する埃を適切に除去可能な電源装置を提供する。【解決手段】筐体と、筐体の内部に取り付けられた、電気部品を配置された基板と、筐体の、基板に対向する面に取り付けられた第１のファンと、第１のファンの送風方向と異なる方向に送風するように筐体に取り付けられた第２のファンとを有し、第１のファンが動作した後に第２のファンが動作して筐体内部の埃を除去するように、電源装置を構成する。【選択図】図１
2010232467.tif 000002
【特許請求の範囲】
【請求項１】
筐体と、
前記筐体の内部に取り付けられた、電気部品を配置された基板と、
前記筐体の、前記基板に対向する面に取り付けられた第１のファンと、
前記第１のファンの送風方向と異なる方向に送風するように前記筐体に取り付けられた第２のファンとを有し、
前記第１のファンが動作した後に前記第２のファンが動作して前記筐体内部の埃を除去することを特徴とする、電源装置。
【請求項２】
動作開始から所定時間経過まで前記第１のファンに送風させ、前記所定時間経過後に前記第１のファンを停止させるとともに、前記第２のファンに送風させることを特徴とする、請求項１に記載の電源装置。
【請求項３】
前記第２のファンが、前記第１のファンの配置された面と略直交する面に配置されていることを特徴とする、請求項１または２に記載の電源装置。
【請求項４】
前記第１のファンを、前記筐体の外部から内部へ空気を吸入するように送風させることを特徴とする、請求項１ないし３に記載の電源装置。
【発明の詳細な説明】
【技術分野】
【０００１】
本発明は、外部から供給される電流を、対象となる機器に適した電流に変換する電源装置に関し、特に、内部の温度上昇を防止するためにファンを備えた電源装置に関する。
【背景技術】
【０００２】
筐体内部に電気部品を備えた電源装置を動作させると、電流を変換するときに熱損失が発生するため、筐体内部の温度が上昇する。筐体内部の温度上昇は、電気部品の故障や動作不良の原因になるなどの現象の原因となる。かかる現象を回避するために、デスクトップ型パーソナルコンピュータでは、装置筐体にファンを備え、筐体内部に空気を吸入または排出することで、筐体内部の電気部品の温度上昇を防止するよう電源装置が一般的に採用されている。
【０００３】
ファンを動作させると、電源装置内部に空気の流れが生じ、空気に含まれる埃が装置内部の電気部品上に堆積する。電気部品上の埃が堆積すると、その部品の放熱効率が悪化するため、部品寿命が短くなる場合がある。部品の故障は電源装置の故障や動作不良を招くので、ファンを動作させて電源装置の温度上昇を防止する場合、電気部品に埃を堆積させないようにする必要がある。
【０００４】
特許文献１には、電源がオンとなった直後にファンを逆回転させてエアフィルタに付着したゴミを吹き飛ばす強制冷却装置が記載されている。
【先行技術文献】
【特許文献】
【０００５】
【特許文献１】実開昭６１−１４２２９０号公報
【発明の概要】
【発明が解決しようとする課題】
【０００６】
特許文献１に記載の強制冷却装置は、エアフィルタに付着したゴミを対象としているため、一定期間ファンを逆回転させることで容易に吹き飛ばすことができる。
【０００７】
しかし、筐体内部に基板を有し、基板上に配置された電気部品を有するような電源装置では、筐体内部の空気の流れが複雑である。具体的に、図面を参照して説明する。図３は、従来技術の強制冷却装置を適用した電源装置の構造を示す図であり、（ａ）は外観図、（ｂ）ないし（ｄ）はＢ−Ｂ断面図である。
【０００８】
電源装置は筐体１１にファン１２を有しており、筐体１１の内部に基板１３が取り付けられている。基板１３上には電気部品１４が配置されている。（ｂ）は、動作する前の電源装置の筐体内部の状態を示しており、電気部品１４に埃１５が付着している。（ｃ）は、電源がオンになった直後の電源装置の筐体内部の状態を示しており、ファン１２が逆回転して筐体内部から空気を排出している。図中の矢印で示すように、ファン１２の配置されていない筐体１１の側面から空気が流入しているが、電気部品１４の影になった埃１５には空気の流れが当たっていないため、埃１５を浮き上がらせることができない。（ｄ）は、ファン１２が正回転した状態の電源装置の筐体内部の状態を示しており、ファン１２の回転によって図中の矢印で示すように筐体内部に空気を吸入している。しかし、ファン１２が逆回転しているときに埃１５が浮き上がっていないので、埃１５を除去することができない。
【０００９】
以上のように、特許文献１に記載の強制冷却装置を電源装置に適用しても、単にファンを逆回転しただけでは埃を吹き飛ばすことができない。また、一旦吹き飛ばしてもファンが正回転したときの空気の流れによって再び電気部品に付着してしまうことになるため、適切に埃を除去することができない。
【００１０】
そこで、本発明は、筐体内部に配置される電気部品上に堆積する埃を適切に除去可能な電源装置を提供することを目的とする。
【課題を解決するための手段】
【００１１】
本発明の電源装置は、筐体と、筐体の内部に取り付けられた、電気部品を配置された基板と、筐体の、基板に対向する面に取り付けられた第１のファンと、第１のファンの送風方向と異なる方向に送風するように筐体に取り付けられた第２のファンとを有し、第１のファンが動作した後に第２のファンが動作して筐体内部の埃を除去することを特徴とする。
【発明の効果】
【００１２】
本発明によれば、筐体内部に配置される電気部品上に堆積する埃を適切に除去可能な電源装置を提供できる。
【図面の簡単な説明】
【００１３】
【図１】本実施形態の電源装置の構造を示す図である。
【図２】本実施形態の電源装置が埃を除去するときのファン制御フローチャートである。
【図３】従来技術の強制冷却装置を適用した電源装置の構造を示す図である。
【発明を実施するための形態】
【００１４】
以下、図面を参照して本発明を実施するための形態について詳細に説明する。本実施形態は、デスクトップ型パーソナルコンピュータ等に内蔵され、家庭用100V電源の電流を変換して供給する電源装置である。
【００１５】
図１は、本実施形態の電源装置の構造を示す図である。（ａ）は外観図、（ｂ）ないし（ｄ）はＡ−Ａ断面図である。電源装置は筐体１に第１ファン２と第２ファン３とを有しており、筐体１の内部に基板４が取り付けられている。第１ファン２は、基板４に対向する面に取り付けられ、第１ファン２と第２ファン３との送風方向は略直交している。基板４上には電気部品５が配置されている。（ｂ）は、動作する前の電源装置の筐体１の内部状態を示しており、電気部品５に埃６が付着している。
【００１６】
（ｃ）は、電源がオンになった直後の電源装置の筐体１の内部状態を示しており、第１ファン２が筐体１の内部に空気を吸入している。このとき、図中の矢印で示すように電気部品５の配置された基板４に対向する面から空気が流れるため、電気部品５に付着した埃６に満遍なく空気が当たり、埃６を浮き上がらせることができる。
【００１７】
（ｄ）は、第１ファン２が停止するとともに第２ファン３が動作している状態の電源装置の筐体１の内部状態を示している。第２ファン３の動作によって図中の矢印で示すような空気の流れが生じ、（ｃ）で浮き上がらせた埃６は空気とともに筐体１の外部に排出されている。本実施形態では、第２ファン３が筐体１の内部に空気を吸入する動作を示しているが、第２ファン３が空気を排出するよう動作させてもよい。
【００１８】
図２は、本実施形態の電源装置が埃を除去するときのファン制御フローチャートである。図２を参照すると、埃の除去動作の開始を指示された電源装置は、動作指示されてからの時間を計測し、所定時間内であれば第１ファン２を動作させる（ステップＳ１、Ｓ２）。所定時間が経過すると、第１ファン２の動作を終了させ、第２ファン３を動作させる（ステップＳ３）。この埃の除去動作は、任意のタイミングで実行可能であるが、電源装置が動作を開始する都度行うようにすると、電気部品５が動作して発熱する前に埃が除去できるため、好適である。このような一連の処理は、図１で図示しない制御部で各構成要素を制御するようにして実行させることができる。制御部は、マイクロコントローラなどで構成可能である。
【００１９】
以上のように構成することで、外部から供給される電流を、対象となる機器に適した電流に変換する電源装置を、筐体内部に配置される電気部品上に堆積する埃を適切に除去するように構成することができる。
【符号の説明】
【００２０】
１  筐体
２  第１ファン
３  第２ファン
４  基板
５  電気部品
６  埃
【図１】
2010232467.tif 000003
【図２】
2010232467.tif 000004
【図３】
2010232467.tif 000005